(57)【要約】    【課題】  複数の読取周期宛ての画信号増幅ゲインの調整時間を短縮し信頼性は高くする。    【解決手段】  複数の読取周期を持つ画像読取装置において、第１周期(カラーモード)での基準面読み取りの画像データが設定範囲のレベルとなるように第１周期宛ての画信号増幅の第１増幅ゲインを設定し、第１増幅ゲインに基づいて第２周期(モノクロモード)宛ての第２増幅ゲインを設定するゲイン設定手段；および、第２周期での第２増幅ゲインを用いた基準面読取の画像データが設定範囲のレベルかを検証する手段；を備え、検証手段は、設定範囲を外れるときは、設定範囲内になるように第２増幅ゲインを調整する。画像読み取り指示を受けると、カラー又はモノクロ読み取り指定に応じてゲイン設定手段が、第１又は第２増幅ゲインを可変ゲインの増幅回路に設定する。  【選択図】  図１１
2006074204.tif 000002
【特許請求の範囲】
【請求項１】
撮像素子，該撮像素子が出力する画像信号を増幅する可変ゲインの増幅手段および該増幅手段が増幅した画像信号をデジタルデータに変換するＡ／Ｄ変換手段を含み、前記撮像素子が繰り返して画像信号を出力する、複数の読み取り周期を持つ画像読み取り装置において、
第１読み取り周期での基準面読み取りの画像データが設定範囲のレベルとなるように第１読み取り周期宛ての、前記画像信号を増幅する第１増幅ゲインを設定し、第１増幅ゲインに基づいて第２読み取り周期宛ての、前記画像信号を増幅する第２増幅ゲインを設定するゲイン設定手段；を備えることを特徴とする画像読み取り装置。
【請求項２】
更に、第２読み取り周期での前記第２増幅ゲインを用いた基準面読み取りの画像データが設定範囲のレベルかを検証する検証手段；を備える請求項１に記載の画像読み取り装置。
【請求項３】
前記検証手段は、第２読み取り周期での前記第２増幅ゲインを用いた基準面読み取りの画像データが設定範囲のレベルを外れるときは、第２読み取り周期での基準面読み取りの画像データが設定範囲のレベルとなるように第２読み取り周期宛ての第２増幅ゲインを変更する；請求項２に記載の画像読み取り装置。
【請求項４】
前記可変ゲインの増幅手段は、ゲイン指示データを保持する保持手段を含み；前記ゲイン設定手段は、第１又は第２読み取り周期の画像読み取り指定に対応して、第１又は第２増幅ゲインを表わすゲイン指示データを前記保持手段に格納する；請求項１乃至３のいずれか１つに記載の画像読み取り装置。
【請求項５】
装置は更に、標準ゲインを格納する標準ゲインメモリ：を備え、前記ゲイン設定手段は、該標準ゲインを読み出して前記可変ゲインの増幅手段に与えてから、前記第１読み取り周期での基準面読み取りを開始する；請求項１乃至４のいずれか１つに記載の画像読み取り装置。
【請求項６】
装置は更に、調整ゲインを格納する調整ゲインメモリ；を備え、前記ゲイン設定手段は、第１および第２増幅ゲインを該調整ゲインメモリに書込み、第１又は第２読み取り周期の画像読み取り指定に対応して、前記調整ゲインメモリの第１又は第２増幅ゲインを前記可変ゲインの増幅手段に与える；請求項１乃至５のいずれか１つに記載の画像読み取り装置。
【請求項７】
原稿を照明する照明灯，繰り返しライン読み取りする撮像素子，原稿の反射光を前記撮像素子に投射する光学系、ならびに、前記照明灯および光学系と原稿の一方を前記ラインと直交する方向に走査駆動する駆動手段、を備える原稿読み取り機構；および、
前記撮像素子が出力する画像信号を増幅する可変ゲインの増幅手段，該増幅手段が増幅した画像信号をデジタルデータすなわち画像データに変換するＡ／Ｄ変換手段，前記可変ゲインの増幅手段に与えるゲインデータを保持するゲインメモリ、および、第１読み取り周期での基準面読み取りの画像データが設定範囲のレベルとなるように第１読み取り周期宛ての、前記画像信号を増幅する第１増幅ゲインを設定し、第１増幅ゲインに基づいて第２読み取り周期宛ての、前記画像信号を増幅する第２増幅ゲインを設定して、第１および第２増幅ゲインを前記ゲインメモリに書込み、第１又は第２読み取り周期の画像読み取り指定に対応して、前記調整ゲインメモリの第１又は第２増幅ゲインを前記可変ゲインの増幅手段に与えるゲイン設定手段、を含む画像信号処理手段；
を備える原稿画像読み取り装置。
【請求項８】
前記ゲイン設定手段は、第１読み取り周期での基準面読み取りの画像データが設定範囲のレベルとなるように第１読み取り周期宛ての、前記画像信号を増幅する第１増幅ゲインを設定するにおいて、第１増幅ゲインを設定回数調整しても基準面読み取りの画像データが設定範囲のレベルとならない時は、警報を出力する；請求項７に記載の原稿画像読み取り装置。
【請求項９】
前記ゲイン設定手段は、第１読み取り周期での基準面読み取りの画像データが設定範囲のレベルとなるように第１読み取り周期宛ての、前記画像信号を増幅する第１増幅ゲインを設定するにおいて、第１増幅ゲインを設定回数調整しても基準面読み取りの画像データが設定範囲のレベルとならない時は、第１増幅ゲインに標準データを設定する；請求項７又は８に記載の原稿画像読み取り装置。
【請求項１０】
前記ゲイン設定手段は、第２読み取り周期での前記第２増幅ゲインを用いた基準面読み取りの画像データが設定範囲のレベルかを検証し、設定範囲のレベルを外れるときは、第２読み取り周期での基準面読み取りの画像データが設定範囲のレベルとなるように第２読み取り周期宛ての、前記画像信号を増幅する第２増幅ゲインを変更する；請求項７乃至９の何れか１つに記載の原稿画像読み取り装置。
【請求項１１】
前記ゲイン設定手段は、第２読み取り周期での基準面読み取りの画像データが設定範囲のレベルとなるように第２読み取り周期宛ての、前記画像信号を増幅する第２増幅ゲインを設定するにおいて、第２増幅ゲインを設定回数調整しても基準面読み取りの画像データが設定範囲のレベルとならない時は、警報を出力する；請求項１０に記載の原稿画像読み取り装置。
【請求項１２】
前記ゲイン設定手段は、第２読み取り周期での基準面読み取りの画像データが設定範囲のレベルとなるように第２読み取り周期宛ての、前記画像信号を増幅する第２増幅ゲインを設定するにおいて、第２増幅ゲインを設定回数調整しても基準面読み取りの画像データが設定範囲のレベルとならない時は、第２増幅ゲインに標準データを設定する；請求項１０又は１１に記載の原稿画像読み取り装置。
【請求項１３】
前記撮像素子はＲ，Ｇ，Ｂ各画像信号をライン出力するカラー撮像素子であり；前記可変ゲインの増幅手段および前記Ａ／Ｄ変換手段はそれぞれ、Ｒ，Ｇ，Ｂ各画像信号を増幅し変換する３組あり；前記ゲイン設定手段は、各組の可変ゲインの増幅手段に与える３組の第１および第２増幅ゲインを設定する；請求項１乃至１２のいずれか１つに記載の画像読み取り装置。
【請求項１４】
前記撮像素子はＲ，Ｇ，Ｂ各画像信号のそれぞれを奇数番画素ラインと偶数番画素ラインに分けてライン出力するカラー撮像素子であり；前記可変ゲインの増幅手段および前記Ａ／Ｄ変換手段はそれぞれ、Ｒ，Ｇ，Ｂ各画像信号の奇数番画素ラインと偶数番画素ラインを増幅し変換する６個あり；前記ゲイン設定手段は、各可変ゲインの増幅手段に与える６組の第１および第２増幅ゲインを設定する；請求項１乃至１２のいずれか１つに記載の画像読み取り装置。
【請求項１５】
更に、同一色の奇数番画素ラインと偶数番画素ラインの画像データを、１ラインに集成して出力する３組のマルチプレクサ(18)を備える；請求項１４に記載の画像読み取り装置。
【請求項１６】
各マルチプレクサは、奇数番画素の画像データを格納する奇数番画素ラインメモリ，偶数番画素の画像データを格納する偶数番画素ラインメモリおよびこれらのラインメモリの一方の画像データを選択出力する選択手段を含み；前記ゲイン設定手段は、各マルチプレクサから各ラインメモリの各画像データを読み込んで、第１読み取り周期での基準面読み取りのＲ，Ｇ，Ｂ各画像信号の奇数番画素ラインおよび偶数番画素ラインの画像データが設定範囲のレベルとなるように第１読み取り周期宛ての、前記画像信号を増幅する６個の第１増幅ゲインを設定する；請求項１５に記載の画像読み取り装置。
【請求項１７】
第１読み取り周期はカラー読み取りの設定周期であり、第２読み取り周期はモノクロ読み取りの設定周期である；請求項１乃至１６のいずれか１つに記載の画像読み取り装置。
【請求項１８】
請求項１乃至１７のいずれか１つに記載の画像読み取り装置；
画像データを蓄積する記憶手段；および、
該画像読み取り装置が出力する画像データを前記記憶手段に蓄積し、該記憶手段から読出す画像データ処理手段；
を備える画像処理装置。
【請求項１９】
請求項１乃至１７のいずれか１つに記載の画像読み取り装置；および、
前記画像読み取り装置が読み取った画像データが表わす画像を用紙上に印刷するプリンタ；を備える画像形成装置。
【請求項２０】
請求項１乃至１７のいずれか１つに記載の画像読み取り装置；
画像データを蓄積する記憶手段； 
前記画像読み取り装置が出力する画像データを前記記憶手段に蓄積し、前記記憶手段から読出す画像データ処理手段；および、
前記記憶手段から読出した画像データが表わす画像を用紙上に印刷するプリンタ；
を備える、画像蓄積機能がある複写装置。
【発明の詳細な説明】
【技術分野】
【０００１】
本発明は、撮像素子の画像信号を所定レベルに増幅する可変ゲイン増幅器および増幅した画像信号をデジタルデータすなわち画像データに変換するＡ／Ｄ変換器をそなえる画像読み取り装置ならびにそれを用いる画像処理装置，画像形成装置および複写装置に関し、例えば、原稿スキャナ，デジタル複写機，複合機能プリンタおよびファクシミリに用いることができる。
【背景技術】
【０００２】
一般に、デジタル複写機、ファクシミリ、イメージスキャナなどといった画像処理装置には、原画像(原稿)を読み取ってこれに対応するデジタル画像信号（画像データ）を生成する画像読み取り装置が設けられる。これらの画像読み取り装置としては、原画像に対応する光（たとえば、原稿の反射光）を電気信号に変換するイメージセンサにＣＣＤ（Charge Coupled Device）を用いたものが普及している。
【０００３】
このような画像読み取り装置は、普通原画像に対応する光をまずＣＣＤで電気的なアナログ信号に変換し、このアナログ画像信号に対して、Ａ／Ｄ変換などの信号処理を適切に行えるように信号補正回路で補正を行う。その後、Ａ／Ｄ変換でデジタル画像信号に変換するようになっている。
【０００４】
ここで、原稿を照明するランプの経時変化などにより、ＣＣＤへの入力光は常に一定ではないので、信号補正回路の補正特性に対しては、あらかじめ設定された基準原画像（例えば基準白板など）に対応するＣＣＤへの入射光に、あらかじめ設定された強度の画像信号が得られるようにゲイン調整とよばれる補正特性の調整が施されるようになっている。
【０００５】
また、ＣＣＤの1ラインを読み取るための周期は、その画像読み取り装置ごとにことなるが、例えば、カラー読取と白黒（モノクロ）読取の二つのモードを持つ画像読み取り装置では、画像データ量の違いなどから、読取のスピードが異なり、結果カラー読取と白黒読取では読取周期が異なるものがある。また、プリンタにはカラーモードと白黒モードでは印刷速度が異なるものがあり、これにあわせて該プリンタに画像データをあたえる原稿スキャナもカラーモードと白黒モードでは原稿読み取り速度を変えるものがある。読取周期が異なると、１ライン読み取る間のＣＣＤの入射光量（蓄積時間）が変わり画像信号レベルが変わるため、モードが異なっても同一白黒濃度を表す画像データは同一とするように、画像信号レベルを調整する必要がある。
【０００６】
【特許文献１】特開平１１−３３１５１３号公報，
【特許文献２】特開２０００−７８３７３号公報，
【特許文献３】特開２００３−１３４３１３号公報。
【０００７】
特許文献１は、読み取り速度に合わせたゲインを、画像信号を増幅する増幅器に設定する画像読み取り装置を記載している。特許文献２は、解像度（ｄｐｉ）を高くすると読み取り速度（蓄積時間）が速く（短く）なるので、解像度に対応した増幅率を画像信号を増幅する増幅器に設定する画像読み取り装置を記載している。６００ｄｐｉの読み取りのときの増幅率は、３００ｄｐｉの読み取りのときの２倍にすることを記載している。特許文献３は、カラー読み取りモード／白黒読み取りモード間のモード切換えに合わせて、読み取り速度および増幅ゲインを切り換える画像読み取り装置を記載している。
【発明の開示】
【発明が解決しようとする課題】
【０００８】
ところで、ランプの光量変動，光学系の光伝達の劣化，撮像素子（ＣＣＤ）の光電変換特性のばらつき或いは変動などにより撮像素子が出力する画像信号レベルが変動するので、白基準板を読み取って、その読み取りの画像データが所定レベルを表すものとなるように、画像信号の増幅ゲインを調整する。例えば、原稿をフルカラーで読み取ることの出来る画像読み取り装置では、Ｒ,Ｇ,Ｂの３系統の画素ライン（光電変換ピクセル群）を持つ撮像素子（ＣＣＤ）を用いるのが一般的である。この場合、ランプの光の波長の特性により、それぞれの画素ラインごとに得られる光の強度は異なるため、ゲイン調整はそれぞれの画素ラインごとに行われる。複数の読み取り周期（読み取り速度）においてそれぞれゲイン調整をおこなうと、それだけ調整に時間がかかってしまうため、起動時間などが長くなってしまうなどの欠点があった。
【０００９】
そこで、本発明は、複数の読み取り周期での読取が可能な画像読み取り装置において、ゲイン調整時間を短くすることを第１目的とし、複数の読み取り周期のそれぞれのゲイン調整により設定するゲインの信頼性を高くすることを第２の目的とし、ユーザがゲイン調整の不備を認識可能にすることを第３の目的とする。
【課題を解決するための手段】
【００１０】
（１）撮像素子(207)，該撮像素子が出力する画像信号を増幅する可変ゲインの増幅手段(16)および該増幅手段が増幅した画像信号をデジタルデータに変換するＡ／Ｄ変換手段(17)を含み、前記撮像素子が繰り返して画像信号を出力する、複数の読み取り周期を持つ画像読み取り装置(SBU)において、
第１読み取り周期(カラーモード)での基準面(239)読み取りの画像データが設定範囲のレベルとなるように第１読み取り周期宛ての、前記画像信号を増幅する第１増幅ゲインを設定し、第１増幅ゲインに基づいて第２読み取り周期(モノクロモード)宛ての、前記画像信号を増幅する第２増幅ゲインを設定する、ゲイン設定手段（1〜3,20）；を備えることを特徴とする画像読み取り装置。
【００１１】
なお、理解を容易にするためにカッコ内には、図面に示し後述する実施例の対応要素の符号又は対応事項を、例示として参考までに付記した。以下も同様である。
【発明の効果】
【００１２】
基準面読み取りにより第１読み取り周期(カラーモード)宛ての第１増幅ゲインを設定するので、第１増幅ゲインの信頼性が高い。この第１増幅ゲインを用いて第２読み取り周期(モノクロモード)宛ての第２増幅ゲインを設定するので、第２読み取り周期(モノクロモード)でのゲイン調整のための繰り返しの基準面読み取りは省略され、第２読み取り周期宛てのゲイン設定に時間がかからない。画像信号レベルが読み取り周期に順対応（例えば略比例）するので、例えば第１読み取り周期に対する第２読み取り周期の比の逆数を第１増幅ゲインに乗算する演算（第２増幅ゲイン＝第１増幅ゲイン×第１読み取り周期／第２読み取り周期）などの、比較的に簡単な演算で第２増幅ゲインを算出して設定できる。
【発明を実施するための最良の形態】
【００１３】
（２）更に、第２読み取り周期での前記第２増幅ゲインを用いた基準面読み取りの画像データが設定範囲のレベルかを検証する検証手段（1〜3,20）；を備える上記（１）に記載の画像読み取り装置。これによれば、第２増幅ゲインの適否が分かる。
【００１４】
（３）前記検証手段（1〜3,20）は、第２読み取り周期での前記第２増幅ゲインを用いた基準面読み取りの画像データが設定範囲のレベルを外れるときは、第２読み取り周期での基準面読み取りの画像データが設定範囲のレベルとなるように第２読み取り周期宛ての第２増幅ゲインを変更する（図13）；上記（２）に記載の画像読み取り装置。これによれば、第２増幅ゲインの信頼性も高い。
【００１５】
（４）前記可変ゲインの増幅手段(16)は、ゲイン指示データを保持する保持手段(25)を含み；前記ゲイン設定手段（1〜3,20）は、第１又は第２読み取り周期の画像読み取り指定に対応して、第１又は第２増幅ゲインを表わすゲイン指示データを前記保持手段に格納(ラッチ)する；上記（１）乃至（３）のいずれか１つに記載の画像読み取り装置。これによれば、読み取り周期（カラー／モノクロモード）の切り換えに対応する増幅ゲインの切り換えが容易である。
【００１６】
（５）装置は更に、標準ゲインを格納する標準ゲインメモリ(2)：を備え、前記ゲイン設定手段（1〜3,20）は、該標準ゲインを読み出して前記可変ゲインの増幅手段(16)に与えてから、前記第１読み取り周期(カラーモード)での基準面(239)読み取りを開始する；請求項（１）乃至（４）のいずれか１つに記載の画像読み取り装置。これによれば、第１読み取り周期宛ての第１増幅ゲインの調整が、常に標準ゲインからスタートされるので、第１増幅ゲインの調整処理の安定性を高く維持できる。
【００１７】
（６）装置は更に、調整ゲインを格納する調整ゲインメモリ(3；ゲインテーブル)；を備え、前記ゲイン設定手段（1〜3,20）は、第１および第２増幅ゲインを該調整ゲインメモリ(3)に書込み、第１又は第２読み取り周期の画像読み取り指定に対応して、前記調整ゲインメモリの第１又は第２増幅ゲインを前記可変ゲインの増幅手段(16)に与える；上記（１）乃至（５）のいずれか１つに記載の画像読み取り装置。これによれば、増幅ゲイン調整の結果の第１および第２増幅ゲインを、次回の増幅ゲイン調整まで維持することができ、画像読み取り時に指定される読み取り周期に対応する増幅ゲインの切り換えが容易である。増幅ゲイン調整を実行するタイミングの設計が容易である。
【００１８】
（７）原稿を照明する照明灯(232)，繰り返しライン読み取りする撮像素子(207)，原稿の反射光を前記撮像素子に投射する光学系(233〜236)、ならびに、前記照明灯および光学系と原稿の一方を前記ラインと直交する方向に走査駆動する駆動手段(230/238)、を備える原稿読み取り機構(ADF/210)；および、
前記撮像素子が出力する画像信号を増幅する可変ゲインの増幅手段(16)，該増幅手段が増幅した画像信号をデジタルデータに変換するＡ／Ｄ変換手段(17)，前記可変ゲインの増幅手段(16)に与えるゲインデータを保持するゲインメモリ(2,3)、および、第１読み取り周期(カラーモード)での基準面(239)読み取りの画像データが設定範囲のレベルとなるように第１読み取り周期宛ての、前記画像信号を増幅する第１増幅ゲインを設定し、第１増幅ゲインに基づいて第２読み取り周期(モノクロモード)宛ての、前記画像信号を増幅する第２増幅ゲインを設定して、第１および第２増幅ゲインを前記ゲインメモリ(2,3)に書込み、第１又は第２読み取り周期の画像読み取り指定に対応して、前記調整ゲインメモリの第１又は第２増幅ゲインを前記可変ゲインの増幅手段(16)に与える、ゲイン設定手段（1〜3,20）、を含む画像信号処理手段(SBU)；
を備える原稿画像読み取り装置。
【００１９】
これによれば、基準面読み取りにより第１読み取り周期(カラーモード)宛ての第１増幅ゲインを設定するので、第１増幅ゲインの信頼性が高い。この第１増幅ゲインを用いて第２読み取り周期(モノクロモード)宛ての第２増幅ゲインを設定するので、第２読み取り周期(モノクロモード)でのゲイン調整のための繰り返しの基準面読み取りは省略され、第２読み取り周期宛てのゲイン設定に時間がかからない。増幅ゲイン調整の結果の第１および第２増幅ゲインを、次回の増幅ゲイン調整まで維持することができ、画像読み取り時に指定される読み取り周期に対応する増幅ゲインの切り換えが容易である。増幅ゲイン調整を実行するタイミングの設計が容易である。
【００２０】
（８）前記ゲイン設定手段（1〜3,20）は、第１読み取り周期(カラーモード)での基準面(239)読み取りの画像データが設定範囲のレベルとなるように第１読み取り周期宛ての、前記画像信号を増幅する第１増幅ゲインを設定するにおいて、第１増幅ゲインを設定回数調整しても基準面(239)読み取りの画像データが設定範囲のレベルとならない時は、警報を出力する；上記（７）に記載の原稿画像読み取り装置。これによれば、第１増幅ゲイン調整の異常をユーザは容易に認識できる。
【００２１】
（９）前記ゲイン設定手段（1〜3,20）は、第１読み取り周期(カラーモード)での基準面(239)読み取りの画像データが設定範囲のレベルとなるように第１読み取り周期宛ての、前記画像信号を増幅する第１増幅ゲインを設定するにおいて、設定回数第１増幅ゲインを調整しても基準面(239)読み取りの画像データが設定範囲のレベルとならない時は、第１増幅ゲインに標準データを設定する；上記（７）又は（８）に記載の原稿画像読み取り装置。これによれば、第１増幅ゲイン調整の異常のときには自動的に標準ゲインが設定されるので、ゲイン調整異常のときでも画像読み取りを実行できる。
【００２２】
（１０）前記ゲイン設定手段（1〜3,20）は、第２読み取り周期での前記第２増幅ゲインを用いた基準面読み取りの画像データが設定範囲のレベルかを検証し、設定範囲のレベルを外れるときは、第２読み取り周期での基準面読み取りの画像データが設定範囲のレベルとなるように第２読み取り周期宛ての、前記画像信号を増幅する第２増幅ゲインを変更する；上記（７）乃至（９）の何れか１つに記載の原稿画像読み取り装置。これによれば、第２増幅ゲインの信頼性も高い。
【００２３】
（１１）前記ゲイン設定手段（1〜3,20）は、第２読み取り周期(カラーモード)での基準面(239)読み取りの画像データが設定範囲のレベルとなるように第２読み取り周期宛ての、前記画像信号を増幅する第２増幅ゲインを設定するにおいて、第２増幅ゲインを設定回数調整しても基準面(239)読み取りの画像データが設定範囲のレベルとならない時は、警報を出力する；上記（１０）に記載の原稿画像読み取り装置。これによれば、第２増幅ゲイン調整の異常をユーザは容易に認識できる。
【００２４】
（１２）前記ゲイン設定手段（1〜3,20）は、第２読み取り周期(カラーモード)での基準面(239)読み取りの画像データが設定範囲のレベルとなるように第２読み取り周期宛ての、前記画像信号を増幅する第２増幅ゲインを設定するにおいて、第２増幅ゲインを設定回数調整しても基準面(239)読み取りの画像データが設定範囲のレベルとならない時は、第２増幅ゲインに標準データを設定する；上記（１０）又は（１１）に記載の原稿画像読み取り装置。これによれば、第２増幅ゲイン調整の異常のときには自動的に標準ゲインが設定されるので、ゲイン調整異常のときでも画像読み取りを実行できる。
【００２５】
（１３）前記撮像素子(207)はＲ，Ｇ，Ｂ各画像信号をライン出力するカラー撮像素子であり；前記可変ゲインの増幅手段(16)および前記Ａ／Ｄ変換手段(17)はそれぞれ、Ｒ，Ｇ，Ｂ各画像信号を増幅し変換する３組あり；前記ゲイン設定手段（1〜3,20）は、各組の可変ゲインの増幅手段(16)に与える３組の第１および第２増幅ゲインを設定する；上記（１）乃至（１２）のいずれか１つに記載の画像読み取り装置。これによれば、カラー読み取りデバイスの増幅ゲイン調整を単時間で実現できる。
【００２６】
（１４）前記撮像素子(207)はＲ，Ｇ，Ｂ各画像信号のそれぞれを奇数番画素ラインと偶数番画素ラインに分けてライン出力するカラー撮像素子であり；前記可変ゲインの増幅手段(16)および前記Ａ／Ｄ変換手段(17)はそれぞれ、Ｒ，Ｇ，Ｂ各画像信号の奇数番画素ラインと偶数番画素ラインを増幅し変換する６個あり；前記ゲイン設定手段（1〜3,20）は、各可変ゲインの増幅手段(16)に与える６組の第１および第２増幅ゲインを設定する；上記（１）乃至（１２）のいずれか１つに記載の画像読み取り装置。これによれば、１ライン上画素数が多いカラー読み取りデバイスの増幅ゲイン調整を単時間で実現できる。
【００２７】
（１５）更に、各組が同一色の奇数番画素ラインと偶数番画素ラインの画像データを、１ラインに集成して出力する３組のマルチプレクサ(18)を備える；上記（１４）に記載の画像読み取り装置。これによれば、Ｒ，Ｇ，Ｂ各画像信号の奇数番画素ラインと偶数番画素ラインの画像データを、各色１ラインに集成して出力することができる。
【００２８】
（１６）各マルチプレクサ(18)は、奇数番画素の画像データを格納する奇数番画素ラインメモリ，偶数番画素の画像データを格納する偶数番画素ラインメモリおよびこれらのラインメモリの一方の画像データを選択出力する選択手段を含み；前記ゲイン設定手段（1〜3,20）は、各マルチプレクサから各ラインメモリの各画像データを読み込んで、第１読み取り周期(カラーモード)での基準面(239)読み取りのＲ，Ｇ，Ｂ各画像信号の奇数番画素ラインおよび偶数番画素ラインの画像データが設定範囲のレベルとなるように第１読み取り周期宛ての、前記画像信号を増幅する６個の第１増幅ゲインを設定する；上記（１５）に記載の画像読み取り装置。
【００２９】
（１７）第１読み取り周期はカラー読み取りの設定周期であり、第２読み取り周期はモノクロ読み取りの設定周期である；上記（１）乃至（１６）のいずれか１つに記載の画像読み取り装置。これによれば、モノクロ読み取りの増幅ゲインを単時間に調整設定できる。
【００３０】
（１８）上記（１）乃至（１７）のいずれか１つに記載の画像読み取り装置；
画像データを蓄積する記憶手段（ＭＥＭ，ＨＤＤ）；および、
該画像読み取り装置が出力する画像データを前記記憶手段に蓄積し、前記記憶手段から読出す画像データ処理手段(4)；
を備える画像処理装置。これによれば、画像読み取り装置で画像を撮像して記憶手段（ＭＥＭ，ＨＤＤ）に蓄積して、任意の時点に読み出しできる。
【００３１】
（１９）上記（１）乃至（１７）のいずれか１つに記載の画像読み取り装置；および、
前記画像読み取り装置が読み取った画像データが表わす画像を用紙上に印刷するプリンタ(100)；を備える画像形成装置（図１，図２）。これによれば、画像読み取り装置で原稿画像を読みとってプリントアウトできる。
【００３２】
（２０）上記（１）乃至（１７）のいずれか１つに記載の画像読み取り装置；
画像データを蓄積する記憶手段（ＭＥＭ，ＨＤＤ）； 
該画像読み取り装置が出力する画像データを前記記憶手段に蓄積し、前記記憶手段から読出す画像データ処理手段(4)；および、
前記記憶手段から読出した画像データが表わす画像を用紙上に印刷するプリンタ(100)、を備える画像蓄積機能がある複写装置（図１，図２）。これによれば、画像読み取り装置で原稿画像を読み取って記憶手段に蓄積し、そして読み出してプリントアウトできる。
【００３３】
（２１）前記記憶手段から読出した画像データを通信網に送出する通信手段(38)を更に備える上記（１８）又は（２０）に記載の装置（図１，図２）。これによれば、多くの画像の画像データを記憶手段（ＭＥＭ，ＨＤＤ）に蓄積し、そして読み出して通信網を介してクライアント或いはホストに配信できる。
【００３４】
本発明の他の目的および特徴は、図面を参照した以下の実施例の説明より明らかになろう。
【実施例１】
【００３５】
図１に、本発明の１実施例の複合機能フルカラーデジタル複写機を示す。このフルカラー複写機は、大略で、自動原稿送り装置（ＡＤＦ）２３０と、操作ボード５と、カラースキャナ２１０と、カラープリンタ１００の各ユニットで構成されている。なお、操作ボード５と、ＡＤＦ２３０付きのカラースキャナ２１０は、プリンタ１００から分離可能なユニットであり、カラースキャナ２１０は、動力機器ドライバやセンサ入力およびコントローラを有する制御ボードを有して、プリンタ１００の機内の制御ボードのシステム制御部４（図４）と直接または間接に通信を行いタイミング制御されて原稿画像の読み取りを行う。
【００３６】
システム制御部４（図４）には、パソコンＰＣが接続したＬＡＮ(Local Area Network)が接続されており、ファクシミリコントロールユニットＦＣＵ（図４）には、電話回線ＰＮ（ファクシミリ通信回線）に接続された交換器ＰＢＸが接続されている。カラープリンタ１００のプリント済の用紙は、排紙スタック１２６（図２）に排出される。
【００３７】
図２に、カラープリンタ１００の機構を示す。この実施例のカラープリンタ１００は、レーザプリンタである。このレーザプリンタ１００は、マゼンダ（Ｍ），シアン（Ｃ），イエロー（Ｙ）および黒（ブラック：Ｋ）の各色の画像を形成するための４組のトナー像形成ユニットａ〜ｄが、第１転写ベルト１０７の移動方向（図中の左から右方向ｙ）に沿ってこの順に配置されている。即ち、４連ドラム方式のフルカラー画像形成装置である。
【００３８】
回転可能に支持され矢印方向に回転する第１の像担持体である感光体１０１の外周部には除電装置１０５、クリーニング装置１０４、帯電装置１０２、現像装置１０３が配備されている。帯電装置１０２と現像装置１０３の間には、露光装置１０６から発せられる光情報の入るスペースが確保されている。感光体１０１は４個（ａ，ｂ，ｃ，ｄ）あるが、それぞれ周囲に設けられる画像形成用の部品構成は同じである。現像装置１０３が扱う色材（トナー）の色が異なる。
【００３９】
第１の像担持体である感光体１０１は直径が３０から１００ｍｍ程度のアルミニュム円筒表面に、光導電性物質である有機半導体の層を設けた感光体である。その一部が、第２の像担持体である第１転写ベルト１０７に接している。ベルト状の感光体も採用可能である。第１転写ベルト１０７は矢印方向に移動可能に、回転するローラ１０８，１０９および１１０間に支持、張架されていて、裏側（ループの内側）には、第１転写手段１１１が感光体１０１の近傍に配備されている。ベルトループの外側に、第１転写ベルト用のクリーニング装置１１２が配備されている。第１転写ベルト１０７より転写した後にその表面に残留する不要のトナーを拭い去る。
【００４０】
露光装置１０６は公知のレーザ方式で、フルカラー画像形成に対応した光情報を、一様に帯電された感光体表面に潜像として照射する。ＬＥＤアレイと結像手段から成る露光装置も採用できる。第１転写ベルト１０７は、基体の厚みが５０μｍ乃至６００μｍの樹脂フィルムあるいはゴムを基体にしたベルトで、感光体１０１からトナーを転写可能とする抵抗値を備える。
【００４１】
図２上で、第１転写ベルト１０７の右方には、第３の像担持体である第２転写ベルト１１３が配備されている。第２転写ベルト１１３は矢印方向に移動可能に、回転ローラ１１４，１１５および１１６間に支持、張架されていて、裏側（ループの内側）には、第２転写手段１１７が配備されている。ベルトループの外側に、第２転写ベルト用のクリーニング装置１１８、チャージャ１１９、などが配備されている。クリーニング装置１１８は、用紙にトナーを転写した後、残留する不要のトナーを拭い去る。第２転写手段１１７，ローラ１１６、第１転写ベルト１０７を支持するローラ１０８により、第１転写ベルト１０７と第２転写ベルト１１３は接触し、あらかじめ定められた転写ニップを形成する。第２転写ベルト１１３は、基体の厚みが５０μｍ乃至６００μｍの樹脂フィルムあるいはゴムを基体にしたベルトで、第１転写ベルト１０７からトナーを転写可能とする抵抗値を備えるベルトである。
【００４２】
記録媒体である用紙１２０は、図の下方の給紙カセット１２１，１２２に収納されており、最上の用紙が給紙ローラ１３１又は１３２で１枚づつ、複数の用紙ガイドを経てレジストローラ１３３に搬送される。第２転写ベルト１１３の上方に、定着器１２３、排紙ガイド１２４、排紙ローラ１２５、排紙スタック１２６が配備されている。第１転写ベルト１０７の上方で、排紙スタック１２６の下方には、補給用のトナーが収納できる収納部１２７が設けてある。トナーの色はマゼンタ、シアン、イエロー、ブラックの四色があり、カートリッジ１２８の形態にしてある。粉体ポンプ等により対応する色の現像装置１０３に適宜補給される。本体の一部のフレーム１２９は、開閉支軸１３０を中心として、回動開放が可能な構造にしてあるので、記録媒体の搬送路は大きく開き、ジャムした記録媒体（用紙）の処理を容易にしている。
【００４３】
ここで両面印刷のときの各部の動作を説明する。まず感光体１０１による、作像が行われる。すなわち、露光装置１０６の作動により、不図示のＬＤ光源からの光は、不図示の光学部品を経て、帯電装置１０２で一様に帯電された感光体１０１のうち、作像ユニットａの感光体上に至り、書き込み情報（色に応じた情報）に対応した潜像を形成する。感光体１０１上の潜像は現像装置１０３で現像され、トナーによる顕像が感光体１０１の表面に形成され保持される。このトナー像は、第１転写手段１１１により、感光体１０１と同期して移動する第１転写ベルト１０７の表面に転写される。感光体１０１の表面は、残存するトナーがクリーニング装置１０４でクリーニングされ、除電装置１０５で除電され次の作像サイクルに備える。
【００４４】
第１転写ベルト１０７は、表面に転写されたトナー像を坦持し、矢印の方向に移動する。作像ユニットｂの感光体１０１に、別の色に対応する潜像が書き込まれ、対応する色のトナーで現像され顕像となる。この像は、すでに第１転写ベルト１０７に乗っている前の色の顕像に重ねられ、最終的に４色重ねられる。なお、単色黒のみを形成する場合もある。
【００４５】
このとき同期して第２転写ベルト１１３は矢印方向に移動していて、第２転写手段１１７の作用で、第２転写ベルト１１３の表面に第１転写ベルト１０７表面に作られた画像が転写される。いわゆるタンデム形式である４個の作像ユニットａ〜ｄの各感光体１０１上で画像が形成されながら、第１，第２転写ベルト１０７，１１３が移動し、作像が進められるので、その時間が短縮できる。
【００４６】
第１転写ベルト１０７が、所定のところまで移動すると、用紙の別の面に作成されるべきトナー画像が、前述したような工程で再度感光体１０１により作像され、給紙が開始される。給紙ローラ１３１又は１３２が反時計方向に回転すると、給紙カセット１２１又は１２２内の最上部にある用紙１２０が引き出され、レジストローラ１３３に搬送される。
【００４７】
レジストローラ１３３を経て、第１転写ベルト１０７と第２転写ベルト１１３の間に送られる用紙の片側の面に、第１転写ベルト１０７表面のトナー像が、第２転写手段１１７により転写される。更に記録媒体は上方に搬送され、第２転写ベルト１１３表面のトナー像が、チャージャ１１９により用紙のもう一方の面に転写される。転写に際して、用紙は画像の位置が正規のものとなるよう、タイミングがとられて搬送される。
【００４８】
本実施例では、感光体１０１に作像されるトナーの極性はマイナスである。第１転写手段１１１にプラスの電荷を与えることで、感光体１０１に作像されたトナーは第１転写ベルト１０７に転写される。第２転写手段１１７にプラスの電荷を与えることで、第１転写ベルト１０７に転写されたトナーは、第２転写ベルト１１３に転写される。用紙を第１，第２転写ベルト１０７，１１３間に送り込み、第２転写手段１１７にプラスの電荷を与えることで、第１転写ベルト１０７に転写されたトナーが用紙の片側の面に転写され、また、第２転写ベルト１１３に転写されたトナーは、転写チャージャ１１９からプラス極性の電荷を与えることで、第２転写ベルト１１３表面のマイナス極性のトナーは吸引されて、用紙の他の面に転写される。上記のステップで両面にトナー像が転写された用紙は、定着器１２３に送られ、用紙上のトナー像（両面）が一度に溶融，定着され、ガイド１２４を経て排紙ローラ１２５により本体フレーム上部の排紙スタック１２６に排出される。
【００４９】
図２のように、排紙部１２４〜１２６を構成した場合、両面画像のうち後から用紙に転写される面（頁）、すなわち第１転写ベルト７から用紙に直接転写される面が下面となって、排紙スタック１２６に載置されるから、頁揃えをしておくには２頁目の画像を先に作成し、第２転写ベルト１１３にそのトナー像を保持し、１頁目の画像を第１転写ベルト１０７から用紙に直接転写する。第１転写ベルト１０７から直接に用紙に転写される画像は、感光体表面で正像にし、第２転写ベルト１１３から用紙に転写されるトナー像は、感光体表面で逆像（鏡像）になるよう露光される。このような頁揃えのための作像順、ならびに、正、逆像（鏡像）に切り換える画像処理も、ＩＭＡＣによるメモリＭＥＭに対する画像データの読書き制御によって行っている。第２転写ベルト１１３から用紙に転写した後、ブラシローラ，回収ローラ，ブレード等を備えたクリーニング装置１１８が、第２転写ベルト１１３に残留する不要のトナーや紙粉を除去する。
【００５０】
図２ではクリーニング装置１１８のブラシローラが第２転写ベルト１１３の表面から離れた状態にある。支点１１８ａを中心として揺動可能で、第２転写ベルト１１３の表面に接離可能な構造になっている。用紙に転写する以前で、第２転写ベルト１１３がトナー像を担持しているとき離し、クリーニングが必要のとき、図で反時計方向に揺動し接触させる。除去された不要トナーはトナー収納部１３４に集められる。
【００５１】
以上が、「両面転写モード」を設定した両面印刷モードの作像プロセスである。両面印刷の場合には、常にこの作像プロセスで印刷が行われる。片面印刷の場合には、「第２転写ベルト１１３による片面転写モード」と「第１転写ベルト１０７による片面転写モード」の２つがあり、前者の第２転写ベルト１１３を用いる片面転写モードを設定した場合には、第１転写ベルト１０７に４色重ね（又は単色黒）で形成された顕像が第２転写ベルト１１３に転写され、そして用紙の片面に転写される。用紙の他面には画像転写はない。この場合、排紙スタック１２６に排出された印刷済用紙の上面に印刷画面がある。後者の第１転写ベルト１０７を用いる片面転写モードを設定した場合には、第１転写ベルト１０７に４色重ね（又は単色黒）で形成された顕像が、第２転写ベルト１１３には転写されずに、用紙の片面に転写される。用紙の他面には画像転写はない。この場合は、排紙スタック１２６に排出された印刷済用紙の下面に印刷画面がある。
【００５２】
図３に、スキャナ２１０およびそれに装着されたＡＤＦ２３０の、原稿画像読み取り機構を示す。フラットベッド方式の読み取りモードでは、このスキャナ２１０のコンタクトガラス２３１上に置かれた原稿は、照明ランプ２３２により照明され、原稿の反射光（画像光）が第１ミラー２３３で副走査方向ｙと平行に反射される。照明ランプ２３２および第１ミラー２３３は、図示しない、副走査方向ｙに定速駆動される第１キャリッジに搭載されている。第１キャリッジと同方向にその１／２の速度で駆動される、図示しない第２キャリッジには第２および第３ミラー２３４，２３５が搭載されており、第１ミラー２３３が反射した画像光は第２ミラー２３４で下方向（ｚ）に反射され、そして第３ミラー２３５で副走査方向ｙに反射されて、レンズ２３６により集束され、ＣＣＤ２０７に照射され、電気信号に変換される。第１および第２キャリッジは、走行体モーター２３８を駆動源として、ｙ方向に往（原稿走査），復（リタ−ン）駆動される。
【００５３】
スキャナ２１０には、自動原稿供給装置ＡＤＦ２３０が装着されている。シートスルー方式の読み取りモードでは、ＡＤＦ２３０の原稿トレイ２４１に積載された原稿は、ピックアップローラ２４２およびレジストローラ対２４３で搬送ドラム（プラテン）２４４と押さえローラ２４５の間に送り込まれて、搬送ドラム２４４に密着して読み取りガラス２４０の上を通過し、そして排紙ローラ２４６，２４７で、原稿トレイ２４１の下方の圧板兼用の排紙トレイ２４８上に排出される。
【００５４】
原稿の表面の画像は、原稿読取窓である読み取りガラス２４０を通過する際に、その直下に移動している照明ランプ２３２により照射され、原稿の表面の反射光は、第１ミラー２３３以下の光学系を介してＣＣＤ２０７に照射され光電変換される。すなわちＲＧＢ各色画像信号に変換される。搬送ドラム２４４の表面は、読み取りガラス２４０に対向する白色背板であり、白基準面となるように白色である。
【００５５】
また、原稿の裏面の画像は、光源および撮像素子を内蔵する撮像装置２０８で読み取られ光電変換される。すなわちＲＧＢ各色画像信号に変換される。撮像装置２０８に対向する白色背板２０９があり、白色基準面となるように白色である。
【００５６】
読み取りガラス２４０と原稿始端の位置決め用のスケール２５１との間には、基準白板２３９、ならびに、第１キャリッジを検出する基点センサ２４９がある。基準白板２３９は、照明ランプ２３２の個々の発光強度のばらつき，また主走査方向のばらつきや、ＣＣＤ２０７の画素毎の感度ムラ等が原因で、一様な濃度の原稿を読み取ったにもかかわらず、読み取りデータがばらつく現象を補正（シェーディング補正）するために用意されている。
【００５７】
図４に、図１に示す複写機の画像処理系統のシステム構成を示す。このシステムでは、読取ユニット２１１と画像データ出力Ｉ／Ｆ(Interface：インターフェイス)２１２でなるカラー原稿スキャナ２１０が、システム制御部４の画像データインターフェース制御ＣＤＩＣ（以下単にＣＤＩＣと表記）に接続されている。システム制御部４にはまた、カラープリンタ１００が接続されている。カラープリンタ１００は、システム制御部４の画像データ処理器ＩＰＰ（Image Processing Processor；以下では単にＩＰＰと記述）から、書込みＩ／Ｆ１３８にＹＭＣＫ記録画像データを受けて、作像ユニット１３９でプリントアウトする。作像ユニット１３９は、図２に示すものである。
【００５８】
システム制御部４は、パラレルバスＰｂ，画像メモリアクセス制御ＩＭＡＣ（以下では単にＩＭＡＣと記述），画像メモリＭＥＭ（メモリモジュール；以下では単にＭＥＭと記述），ハードディスク装置ＨＤＤ（以下では単にＨＤＤと記述），システムコントローラ３１ａ，ＲＡＭ３４，不揮発メモリ３５，フォントＲＯＭ３６，ＣＤＩＣ，ＩＰＰ等、を備える。パラレルバスＰｂには、ファクシミリ制御ユニットＦＣＵ（以下単にＦＣＵと記述）を接続している。操作ボード５はシステムコントローラ３１ａに接続している。
【００５９】
カラー原稿スキャナ２１０の、原稿を光学的に読み取る読取ユニット２１１のＣＣＤ２０７および撮像装置２０８の撮像素子のそれぞれが発生するＲＧＢ画像信号は、センサボードユニットＳＢＵ上で信号処理しかつＲＧＢ画像データに変換しかつシェーディング補正して、出力Ｉ／Ｆ２１２を介してＣＤＩＣに送出する。
【００６０】
ＣＤＩＣは、画像データに関し、出力Ｉ／Ｆ２１２，パラレルバスＰｂ，ＩＰＰ間のデータ転送，プロセスコントローラ１３５とシステム制御部４の全体制御を司るシステムコントローラ３１ａとの間の通信をおこなう。また、ＲＡＭ１３６はプロセスコントローラ１３５のワークエリアとして使用され、不揮発メモリ１３７はプロセスコントローラ１３５の動作プログラム等を記憶している。
【００６１】
半導体メモリＭＥＭの他に、多くの画像データを収納するためにＨＤＤがある。ＨＤＤを用いる事により、外部電源が不要で永久的に画像を保持できる特徴もある。多くの原稿の画像をスキャナで読み込んでＨＤＤに保持し、また、ＰＣが与える多くのドキュメント画像を保持できる。
【００６２】
画像メモリアクセス制御ＩＭＡＣ（以下では単にＩＭＡＣと記述）は、ＭＥＭおよびＨＤＤに対する画像データ，制御データの書き込み／読み出しを制御する。システムコントローラ３１ａは、パラレルバスＰｂに接続される各構成部の動作を制御する。また、ＲＡＭ３４はシステムコントローラ３１ａのワークエリアとして使用され、不揮発メモリ３５はシステムコントローラ３１ａの動作プログラム等を記憶している。
【００６３】
操作ボード５は、システム制御部４がおこなうべき処理を入力する。たとえば、処理の種類（複写、ファクシミリ送信、画像読込、プリント等）および処理の枚数等を入力する。これにより、画像データ制御情報の入力をおこなうことができる。
【００６４】
スキャナ２１０およびＡＤＦのＣＣＤ２０７および撮像装置２０８で読取ったＲＧＢ画像データは、ＩＰＰで、スキャナガンマ補正，フィルタ処理などの、読取り歪を補正する画像処理を施してから、ＭＥＭに蓄積する。ＭＥＭの画像データをプリントアウトするときには、ＩＰＰにおいてＲＧＢ信号をＹＭＣＫ信号に色変換し、プリンタガンマ変換，階調変換，および、ディザ処理もしくは誤差拡散処理などの階調処理などの画質処理をおこなう。画質処理後の画像データはＩＰＰから書込みＩ／Ｆ１３８に転送される。書込みＩ／Ｆ１３８は、階調処理された信号に対し、パルス幅とパワー変調によりレーザー制御をおこなう。その後、画像データは作像ユニット１３９へ送られ、作像ユニット１３９が転写紙上に再生画像を形成する。
【００６５】
ＩＭＡＣは、システムコントローラ３１ａの制御に基づいて、画像データとＭＥＭ，ＨＤＤのアクセス制御，ＬＡＮ上に接続したパソコンＰＣ（以下では単にＰＣと表記）のプリント用データの展開，ＭＥＭ，ＨＤＤの有効活用のための画像データの圧縮／伸張をおこなう。
【００６６】
ＩＭＡＣへ送られた画像データは、データ圧縮後、ＭＥＭ又はＨＤＤに蓄積され、蓄積された画像データは必要に応じて読み出される。読み出された画像データは、伸張され、本来の画像データに戻しＩＭＡＣからパラレルバスＰｂを経由してＣＤＩＣへ戻される。ＣＤＩＣからＩＰＰへの転送後は画質処理をして書込みＩ／Ｆ１３８に出力し、作像ユニット１３９において転写紙（用紙）上に再生画像を形成する。
【００６７】
画像データの流れにおいて、パラレルバスＰｂおよびＣＤＩＣでのバス制御により、デジタル複合機の機能を実現する。ファクシミリ送信は、スキャナ２１０，ＡＤＦ２３０で読取られた画像データをＩＰＰにて画像処理を実施し、ＣＤＩＣおよびパラレルバスＰｂを経由してＦＣＵへ転送することによりおこなわれる。ＦＣＵは、通信網へのデータ変換をおこない、それを公衆回線ＰＮへファクシミリデータとして送信する。ファクシミリ受信は、公衆回線ＰＮからの回線データをＦＣＵにて画像データへ変換し、パラレルバスＰｂおよびＣＤＩＣを経由してＩＰＰへ転送することによりおこなわれる。この場合、特別な画質処理はおこなわず、書込みＩ／Ｆ１３８から出力し、作像ユニット１３９において転写紙上に再生画像を形成する。
【００６８】
複数ジョブ、たとえば、コピー機能，ファクシミリ送受信機能，プリンタ出力機能が並行に動作する状況において、読取ユニット２１１，作像ユニット１３９およびパラレルバスＰｂの使用権のジョブへの割り振りは、システムコントローラ３１ａおよびプロセスコントローラ１３５において制御する。プロセスコントローラ１３５は画像データの流れを制御し、システムコントローラ３１ａはシステム全体を制御し、各リソースの起動を管理する。また、デジタル複合機の機能選択は、操作ボード５においておこなわれ、操作ボード５の選択入力によって、画像読取機能，画像データ登録機能，コピー機能，プリント機能，ファクシミリ機能，連結転送機能等の処理内容を設定する。
【００６９】
システムコントローラ３１ａとプロセスコントローラ１３５は、パラレルバスＰｂ，ＣＤＩＣおよびシリアルバスＳｂを介して相互に通信をおこなう。具体的には、ＣＤＩＣ内においてパラレルバスＰｂとシリアルバスＳｂとのデータ，インターフェースのためのデータフォーマット変換をおこなうことにより、システムコントローラ３１ａとプロセスコントローラ１３５間の通信を行う。
【００７０】
各種バスインターフェース、たとえばパラレルバスＩ／Ｆ  ３７、シリアルバスＩ／Ｆ  ３９、ローカルバスＩ／Ｆ  ３７ａおよびネットワークＩ／Ｆ  ３８は、ＩＭＡＣに接続されている。システムコントローラ３１ａは、システム制御部４全体の中での独立性を保つために、複数種類のバス経由で関連ユニットと接続する。
【００７１】
システムコントローラ３１ａは、パラレルバスＰｂを介して他の機能ユニットの制御をおこなう。また、パラレルバスＰｂは画像データの転送に供される。システムコントローラ３１ａは、ＩＭＡＣに対して、画像データをＭＥＭ，ＨＤＤに蓄積させるための動作制御指令を発する。この動作制御指令は、ＩＭＡＣ，パラレルバスＩ／Ｆ  ３７、パラレルバスＰｂを経由して送られる。この動作制御指令に応答して、画像データはＣＤＩＣからパラレルバスＰｂおよびパラレルバスＩ／Ｆ  ３７を介してＩＭＡＣに送られる。そして、画像データはＩＭＡＣの制御によりＭＥＭ又はＨＤＤに格納されることになる。
【００７２】
一方、システム制御部４のシステムコントローラ３１ａは、ＰＣからのプリンタ機能としての呼び出しの場合、プリンタコントローラとネットワーク制御およびシリアルバス制御として機能する。ネットワーク経由の場合、ＩＭＡＣはネットワークＩ／Ｆ  ３８を介してプリント出力要求データを受け取る。汎用的なシリアルバス接続の場合、ＩＭＡＣはシリアルバスＩ／Ｆ  ３９経由でプリント出力要求データを受け取る。汎用のシリアルバスＩ／Ｆ  ３９は複数種類の規格に対応している。
【００７３】
ＰＣからのプリント出力要求データはシステムコントローラ３１ａにより画像データに展開される。その展開先はＭＥＭ内のエリアである。展開に必要なフォントデータは、ローカルバスＩ／Ｆ  ３７ａおよびローカルバスＲｂ経由でフォントＲＯＭ３６ａを参照することにより得られる。ローカルバスＲｂは、このコントローラ３１ａを不揮発メモリ３５ａおよびＲＡＭ３４ａと接続する。シリアルバスＳｂに関しては、ＰＣとの接続のための外部シリアルポート３２ａ以外に、システム制御部４の操作部である操作ボード５との転送のためのインターフェースもある。これはプリント展開データではなく、ＩＭＡＣ経由でシステムコントローラ３１ａと通信し、処理手順の受け付け、システム状態の表示等をおこなう。システムコントローラ３１ａとＭＥＭ，ＨＤＤおよび各種バスとのデータ送受信は、ＩＭＡＣを経由しておこなわれる。ＭＥＭ，ＨＤＤを使用するジョブはシステム制御部４全体の中で一元管理される。
【００７４】
図５に、ＩＰＰの画像処理機能の概要を示す。ＩＰＰは、シェーディング補正１９２，スキャナγ補正１９３，分離生成１９４，地肌除去１９５，フィルタ１９６，色補正３０２，変倍３０３，画像加工３０４，プリンタガンマ変換３０５および階調処理６０６を行う。ＩＰＰは画像処理をおこなうプログラマブルな演算処理手段である。スキャナ２１０の出力Ｉ／Ｆ２１２からＣＤＩＣに入力された画像データは、ＣＤＩＣを経由してＩＰＰに転送され、ＩＰＰの「スキャナ画像処理」１９０にて光学系およびデジタル信号への量子化に伴う信号劣化（スキャナ系の信号劣化）を補正され（１９２〜１９６）、再度、ＣＤＩＣへ出力（送信）される。ＣＤＩＣからＩＰＰへ戻される画像データに対して、ＩＰＰにおいては、「画質処理」３００を行う。「画質処理」３００では、色補正３０２でＲＧＢ信号をＹＭＣＫ信号に色変換し、変倍３０３，画像加工３０４，プリンタガンマ変換３０５および、階調変換，ディザ処理もしくは誤差拡散処理などの階調処理３０６などをおこなう。
【００７５】
ＩＰＰの分離生成１９４では、エッジ判定（白画素と黒画素の連続性により判定）、網点判定（画像中の山／谷ピーク画素の繰り返しパターンにより判定）、写真判定（文字・網点外で画像データある場合）を行い文字及び印刷（網点）部、写真部の領域を判定する。判定データは、後段の地肌除去１９５，ＲＧＢフィルタ１９６，色補正３０２，プリンタγ補正３０５，階調処理３０６でパラメータや係数の切り換えに使用される。ＲＧＢフィルタ１９６では、ＲＧＢのＭＴＦ補正，平滑化，エッジ強調，スルー等のフィルタ係数を先の領域判定により切り換え設定される。色補正３０２は、ＲＧＢ画像データをＹＭＣＫ画像データに変換し、ＵＣＲ（下色除去）、ＵＣＡ（下色付加）の処理を実行する。変倍３０３は、画像データに対して主走査方向の拡大／縮小処理を実行する。画像加工３０４では、クリエイト編集，カラー加工を行う。クリエイト編集では斜体，ミラー，影付け，中抜き等の処理を実行する。カラー加工では、カラー変換，指定色消去，アンダーカラー等を実行する。プリンタγ補正３０５では先の領域判定に基づいてプリンタγ変換とフィルタ係数の設定をする。階調処理３０６ではディザ処理を実行する。書込みＩ／Ｆ１３８のビデオコントロールでは書き込みタイミング設定や画像領域、白抜き領域の設定やグレースケールやカラーパッチ等のテストパターン発生を行い、最終画像データを書き込み処理でＬＤ（レーザーダイオード）駆動（変調）信号に変換して、レーザダイオードドライバへ出力する。
【００７６】
図６に、カラー原稿スキャナ２１０の機構制御部および撮像信号処理部の概要を示す。スキャナ２１０のセンサボードユニットＳＢＵ上のＣＰＵ１は、ＲＯＭ２に格納されたプログラムを実行しＲＡＭ３にデータ等を読み書きする事で、スキャナ２１０の全体の制御を行っている。また、システム制御部４とシリアル通信で接続されおり、コマンド及びデータの送受信により指令された動作を行う。さらに、システム制御部４は操作ボード５とシリアル通信で接続されており、操作ボード５へのユーザからのキー入力指示により動作モード等の指示を設定する事ができる。ＣＰＵ１は、出力ポート（Ｉ／Ｏ）６に接続された原稿検知センサ，ＨＰセンサ，圧板開閉センサ，冷却ファン等の検知及びＯＮ／ＯＦＦの制御をする。スキャナモータドライバ７は、ＣＰＵ１からのＰＷＭ出力によりドライブされ励磁パルスシーケンスを発生し原稿走査駆動用のパルスモータ８を駆動する。
【００７７】
ランプレギュレータ９で駆動されたハロゲンランプ２３２の光が原稿で反射されて、原稿画像は、複数ミラー及びレンズを通り３ラインＣＣＤ２０７に結像される。３ラインＣＣＤ２０７は、センサボードユニットＳＢＵ上のタイミング回路１２によって、各駆動クロックを与えられて各ＲＧＢのｏｄｄ（奇数番画素），ｅｖｅｎ（偶数番画素）のアナログの画像信号（撮像信号）を増幅器１３ａ〜１３ｆに出力する。すなわちＣＣＤ２０７は、Ｒ（レッド）読み取りの奇数番画素ラインおよび偶数番画素ラインそれぞれの画像信号を出力ポートＲｏおよびＲｅから増幅器１３ａおよび１３ｂに出力し、Ｇ（グリーン）読み取りの奇数番画素ラインおよび偶数番画素ラインそれぞれの画像信号を出力ポートＧｏおよびＧｅから増幅器１３ｃおよび１３ｄに出力し、Ｂ（ブルー）読み取りの奇数番画素ラインおよび偶数番画素ラインそれぞれの画像信号を出力ポートＢｏおよびＢｅから増幅器１３ｅおよび１３ｆに出力する。これらの増幅器で一次増幅された画像信号のレベルはサンプルホールド回路１４ａ〜１４ｆで画素区切りで保持され、次の暗補正回路１５ａ〜１５ｆでＣＣＤのオプティカルブラック部（遮光ピクセル）のレベル（暗レベル）分のレベル補正をして、可変ゲインの増幅回路１６ａ〜１６ｆで各増幅回路ごとに設定された増幅ゲインで増幅されてから、Ａ／Ｄコンバータ１７ａ〜１７ｆでデジタル変換されてマルチプレクサ１８ａ〜１８ｃのラインメモリに書き込まれる。ラインメモリへの書込が終わる度に、Ｒ読み取りの奇数番画素ラインおよび偶数番画素ラインそれぞれの画像データは画素単位で交互に読み出されて出力Ｉ／Ｆ２１２から、奇数番画素および偶数番画素をあわせた１ライン分の画像データとして出力される。ＧおよびＢ読み取りの画像データも同様に出力される。これらの出力が終わった直後に、次の奇数番画素ラインおよび偶数番画素ラインそれぞれの画像データの、ラインメモリへの書込みが始まる。
【００７８】
図７に、増幅回路１６ａの構成を示す。この実施例では増幅回路１６ａには、タンデム接続の２つの可変ゲイン増幅器２１，２２がある。第１増幅器２１は２段階のゲイン調整に設計されており、２値回路２３が低ゲイン指示信号（０信号）と高ゲイン指示信号（１信号）を、ラッチ２５に保持（ラッチ）された１１ビット構成のゲイン指示データの、最上位ビット（１ビット）の０／１に対応して、増幅器２１に与える。ゲイン指示データの下位１０ビットはＤ／Ａコンバータ２４でアナログ信号に変換されて第２増幅器２１に与えられる。他の増幅回路１６ｂ〜１６ｆの構成および機能は、増幅回路１６ａと同じである。
【００７９】
図６を再度参照すると、ＣＰＵ１が、これらの増幅回路１６ａ〜１６ｆのラッチ２５に順次に、選択ゲート２０を介して各増幅器宛てのゲイン指示データを出力（ラッチ）する。各増幅回路１６ａ〜１６ｆ宛ての標準ゲインを表わすゲイン指示データはＲＯＭ２に格納されている。後述するゲイン調整（カラー白レベル調整＆モノクロ白レベル調整）で設定した、カラー読み取り用の第１増幅ゲイン（１６ａ〜１６ｆ宛て合計６個）およびモノクロ読み取り用の第２増幅ゲイン（１６ａ〜１６ｆ宛て合計６個）は、ＲＡＭ３に書き込んで保持する。以下では、ＲＡＭ３の、第１増幅ゲイン書込領域をカラーゲインテーブルと表現し、第２増幅ゲイン書込領域をモノクロゲインテーブルと表現する。
【００８０】
なお、白基準板２３９（図３）を読み取った、Ｒｏ（Ｒ奇数番画素ライン），Ｒｅ（Ｒ偶数番画素ライン），Ｇｏ（Ｇ奇数番画素ライン），Ｇｅ（Ｇ偶数番画素ライン），Ｂｏ（Ｂ奇数番画素ライン）およびＢｅ（Ｂ偶数番画素ライン）の、各ラインの画像データを参照するとき、図６に示すＣＰＵ１は、選択ゲート１９でマルチプレクサ１８ａ〜１８ｃの出力を指定し、マルチプレクサ１８ａ〜１８ｃに奇数番ラインか偶数番ラインかを指定して、マルチプレクサ１８ａ〜１８ｃの内部の奇数番，偶数番画素ラインの画像データを読み込む。
【００８１】
図８に、増幅回路１６ａ〜１７ｆに最適な増幅ゲインを設定するためにＣＰＵ１が実行する「白レベル調整」ＷＬＰの概要を示す。なお、この「白レベル調整」ＷＬＰは、スキャナ２１０に電源が投入されＣＰＵ１に動作電圧が印加された直後に実行する初期化の１過程で実行する他に、操作ボード５又はパソコンＰＣから「白レベル調整」指示入力があったときの、これを読み取ったシステムコントローラ３１ａからの「白レベル調整」指示に応答しても実行する。
【００８２】
「白レベル調整」ＷＬＰに進むとＣＰＵ１は、ランプ２３２（図３）を点灯し（ステップ１）、ランプ２３２および第１ミラー２３３を搭載した第１キャリッジを白基準板２３９を読み取る位置に駆動する（ステップ２）。すなわち光学系を、白基準板２３９読み取りに設定する。以下においては、カッコ内にはステップという語を省略してステップ符号のみを記す。ランプ２３２の照明光量が安定する所定時間待機してから（３）、ＣＰＵ１は、「カラー白レベル調整」（４）および「モノクロ白レベル調整」（５）を実行して、ランプ２３２を消灯して（６）、第１キャリッジをホームポジションに戻す。
【００８３】
図９に、「カラー白レベル調整」（４）の内容を示す。これは、第１の読み取り周期（206.5μsec）のカラー読み取りのときに増幅回路１６ａ〜１６ｆに個別に設定する各第１増幅ゲイン（計６個）を検索して設定するものである。これに進むとＣＰＵ１は、ＣＣＤ２０７に第１の読み取り周期を定めて（１１）、ＲＯＭ２からカラーデフォルトゲイン（カラー読み取り用の標準ゲイン）を読み出して、ＲＡＭ３のカラーゲインテーブルに、増幅回路１６ａ〜１６ｆそれぞれ宛ての第１増幅ゲインとして書き込み（１２）、ＲＡＭ３の１領域に定めたカラーゲイン調整の状態レジスタｒｃＲｏ〜ｒｃＢｅ（Ｒｏ〜Ｂｅ宛て計６個）のそれぞれに、ゲイン調整未完（又は異常）を表わす「０」を書き込んで（１３）、カウントレジスタＴｃｏのゲイン操作回数値Ｔｃｏを０に初期化する（１４）。
【００８４】
次にＣＰＵ１は、カラーゲインテーブルの増幅回路１６ａ〜１６ｆそれぞれ宛ての第１増幅ゲインを増幅回路１６ａ〜１６ｆにラッチする（１５）。そして増幅回路１６ａ〜１６ｆにおいてゲイン指示電圧がラッチデータ対応レベルに安定する所定時間の経過を待って（１６）、白基準板２３９を読み取った画像信号のデジタル変換とマルチプレクサ１８ａ〜１８ｃの、奇数番画素，偶数番画素ラインメモリへの書込みを行う（１７）。そして、「カラーＲｏゲインの調整」（１８）〜「カラーＢｅゲインの調整」（２３）を順次に実行する。
【００８５】
図１０に、「カラーＲｏゲインの調整」（１８）の内容を示す。これに進むとＣＰＵ１は、ステップ１３（図９）でレジスタｒｃＲｏのデータを「０」にしているので、ステップ３１から３２に進んで、選択ゲート１９にマルチプレクサ１８ａの出力の選択を指定し、マルチプレクサ１８ａには奇数番画素ラインメモリからのデータ読み出しを指定して、該ラインメモリからの画像データ（０〜２５５を表わす８ビット構成）のシリアル出力（ラスター出力）を行い、この１ライン出力の画像データをチェツクして、ピーク値画像データ（白レベルピーク）Ｒｏｍを検出する（３２）。ここでは、ステップ１４でゲイン操作回数値Ｔｃｏを０に初期化しているので、ステップ３３からステップ３４に進んで、ピーク値Ｒｏｍが目標値（２００）の１／３以下であるとゲインが低いので、ゲイン指示データ（１１ビット）の、第１増幅器２１（図７）のゲイン指定をする最上位ビットＭｓＧを、高ゲインを指定する「１」に定める（３４，３５）。ピーク値Ｒｏｍが目標値（２００）の１／３を超えているときには低ゲインを指定する「０」に定める（３６）。そしてこのビット値を、ラッチ２５の最上位ビットＭｓＧに更新ラッチする（３７）。第１回の「カラーＲｏゲインの調整」（１８）はここで終了し、次の「カラーＲｅゲインの調整」（１９）に進むが、第２回以降の「カラーＲｏゲインの調整」（１８）では、図９のステップ２４から２５に進んでゲイン操作回数値Ｔｃｏを１インクレメントするので、図１０のステップ３３から３８に進んで、各回の「カラーＲｏゲインの調整」（１８）で検出したピーク値Ｒｏｍが設定範囲（目標値２００±７以内）であれば、Ｒｏの第１増幅ゲイン調整を完了したとしてレジスタｒｃＲｏに調整完了を表わす「１」を書込むが（３８，４４）、設定範囲を外れていると、設定範囲とするためのゲイン指示データ（の下位１０ビットＬｓＧ）を算出して、現在増幅回路１６ａに設定しているＭｓＧ（ゲイン指示データの最上位ビット）と算出したＬｓＧ（ゲイン指示データの下位１０ビット）の組み合わせ（１１ビットのゲイン指示データ）［ＭｓＧ，ＬｓＧ］を、カラーゲインテーブルに、Ｒｏ（増幅回路１６ａ）宛てに更新書込みする（３９〜４２）。なお、ピーク値Ｒｏｍが画像データの最高値（２５５）を超えるときには、すなわちレンジオーバしたものであるときには、ＬｓＧを０を表わすものとする（３９，４０）。
【００８６】
ピーク値Ｒｏｍが画像データの最高値（２５５）以下であるときには、ピーク値Ｒｏｍを得たときのＬｓＧを用いて、
ＬｓＧ／４＋３×目標値（２００）×（２５６＋ＬｓＧ）／４／Ｒｏｍ−１９２
を算出して、これを今回の算出値（新たなＬｓＧ：次回にラッチ２５にセットするＬｓＧ）とする（４１）。なお、このように算出され、カラーゲインテーブルに書き込まれたゲイン指示データは、その後実行するステップ１５（図９）で、増幅回路１１６ａ（のラッチ２５）に設定される。
【００８７】
図９に示す「カラーＲｅゲインの調整」（１９）〜「カラーＢｅゲインの調整」（２３）の内容は、上述の「カラーＲｏゲインの調整」（１８）と同様であり、たとえば「カラーＲｅゲインの調整」（１９）に関していえば、「カラーＲｏゲインの調整」（１８）のｒｃＲｏおよびＲｏｍをそれぞれｒｃＲｅおよびＲｅｍと読み替え、しかも選択ゲート１９を用いる画像データの読み出しは、マルチプレクサ１８ａの偶数番画素ラインメモリからの読み出しと読み替えたものになる。
【００８８】
「カラーＲｏゲインの調整」（１８）〜「カラーＢｅゲインの調整」（２３）をこの順にそれぞれ１回実行するたびに、ＣＰＵ１はＲｏ〜Ｂｅの全ての第１増幅ゲインの調整が完了したかをチェツクする（２６）。全レジスタｒｃＲｏ〜ｒｃＢｅのデータが「１」であればＲｏ〜Ｂｅの全ての第１増幅ゲインの調整が完了している。そうであると、調整を完了した増幅ゲインがカラーゲインテーブルに書き込まれていることになる（図１０の４２−図９の１５−図１０の３８，４４）。全レジスタｒｃＲｏ〜ｒｃＢｅのいずれか１つでも（たとえばＲｏのｒｃＲｏが）、「０」であると、第１増幅ゲインの調整が未完（Ｒｏの第１増幅ゲインの調整が未完）であるので、ゲイン操作回数値Ｔｃｏが４０未満であると、ゲイン操作回数値Ｔｃｏを１インクレメントして（２７−２５）再度カラーゲインの調整（１５〜２３）を行うが、各調整（１８〜２３）では、レジスタｒｃＲｏ〜ｒｃＢｅのデータが１であると該調整を終えたとするので（図１０の３１−リターン）、調整を終えていないもの（図９の１８）だけがステップ３２以下（図１０）のゲイン調整を実行する。
【００８９】
ゲイン操作回数値Ｔｃｏが４０になってもＲｏ〜Ｂｅゲインの調整（１８〜２３）のいずれか１つでも調整が未完（レジスタｒｃＲｏ〜ｒｃＢｅの少なくとも１つが「０」）であると、ＣＰＵ１は、図９のステップ２６，２７を経て、システムコントローラ３１ａを介して操作ボード５でエラー報知をして（２８）、調整が未完のゲインは標準ゲイン（デフォルトゲイン）に書換える。すなわち、カラーゲインテーブルの、ゲイン調整が未完の増幅回路宛ての第１増幅ゲインを、ＲＯＭ２に格納している標準ゲインに更新する（２９）。
【００９０】
図１１に、「モノクロ白レベル調整」（５）の内容を示す。これに進むとＣＰＵ１は、「モノクロＲｏゲインの設定」（５１）〜「モノクロＲｅゲインの設定」（５６）によって、カラーゲインの調整（１８〜２３）で設定した第１増幅ゲインを利用して、モノクロ読み取り時に増幅回路１６ａ〜１６ｆに設定する第２増幅ゲインを算出してモノクロゲインテーブルに書込む。そしてこのように設定した第２増幅ゲインの当否を「モノクロＲｏゲインの検証」（６３）〜「モノクロＲｅゲインの検証」（６８）で確認し、しかも、適正でない第２増幅ゲインがある場合にはゲイン調整を行って適正なものに変更する。
【００９１】
図１２に、「モノクロＲｏゲインの設定」（５１）の内容を示す。ここではまずカラーゲインテーブルの、Ｒｏ（増幅回路１６ａ）宛ての第１増幅ゲイン（カラー読み取りのゲイン指示データ［ＭｓＧ，ＬｓＧ］）を読み出して、そのＭｓＧが１であれば、モノクロ読み取り宛ての第２増幅ゲイン（モノクロ読み取りのゲイン指示データ）のＭｓＧも１に定める（８１，８２）。そして、カラー読み取りのゲイン指示データのＬｓＧを用いた、
1.429×ＬｓＧ＋109.7
にモノクロ読み取り宛ての第２増幅ゲインのＬｓＧを、定める。ただし、算出値が１０２３以上のときには、１０２３とする（８７）。カラー読み取りのＭｓＧが０であった場合には、カラー読み取りのＬｓＧが２８１未満を表すデータであるときには、モノクロ読み取りのＭｓＧは０に定めて（８３，８５）、カラー読み取りのゲイン指示データのＬｓＧを用いた、
1.429×ＬｓＧ＋109.7
にモノクロ読み取り宛ての第２増幅ゲインのＬｓＧを、定める。ただし、算出値が１０２３以上のときには、１０２３とする（８７）。カラー読み取りのＭｓＧが０かつカラー読み取りのＬｓＧが２８１以上を表すデータであるときには、モノクロ読み取りのＭｓＧは１に定めて（８３，８４）、カラー読み取りのゲイン指示データのＬｓＧを用いた、
0.7145×ＬｓＧ−73
にモノクロ読み取り宛ての第２増幅ゲインのＬｓＧを、定める。ただし、算出値が１０２３以上のときには、１０２３とする（８６）。次にＣＰＵ１は、モノクロゲインテーブルの、Ｒｏ（増幅回路１６ａ）宛ての第２増幅ゲインを、算出したモノクロ読み取りのゲイン指示データ［ＭｓＧ，ＬｓＧ］に更新する（８８）。
【００９２】
図１１に示す「モノクロＲｅゲインの設定」（５２）〜「モノクロＢｅゲインの設定」（５６）の内容は、上述の「モノクロＲｏゲインの設定」（５１）と同様であり、たとえば「モノクロＲｅゲインの設定」（５２）に関していえば、「モノクロＲｏゲインの設定」（５１）のＲｏをＲｅと読み替えたものになる。
【００９３】
図１１を再度参照すると、ＣＰＵ１は、ＣＣＤ２０７にモノクロ読み取り用の第２の読み取り周期（144.5）を定めて（５７）、ＲＡＭ３の１領域に定めたモノクロゲイン設定の状態レジスタｒｂＲｏ〜ｒｂＢｅ（Ｒｏ〜Ｂｅ宛て計６個）のそれぞれに、ゲイン設定未完（又は異常）を表わす「０」を書き込んで（５８）、カウントレジスタＴｃｏのゲイン操作回数値Ｔｃｏを０に初期化する（５９）。
【００９４】
次にＣＰＵ１は、モノクロゲインテーブルの増幅回路１６ａ〜１６ｆそれぞれ宛ての第２増幅ゲインを増幅回路１６ａ〜１６ｆにラッチする（６０）。そして増幅回路１６ａ〜１６ｆにおいてゲイン指示電圧がラッチデータ対応レベルに安定する所定時間の経過を待って（６１）、白基準板２３９を読み取った画像信号のデジタル変換とマルチプレクサ１８ａ〜１８ｃの、奇数番画素，偶数番画素ラインメモリへの書込みを行う（６２）。そして、「モノクロＲｏゲインの検証」（６３）〜「モノクロＢｅゲインの検証」（６８）を順次に実行する。
【００９５】
図１３に、「モノクロＲｏゲインの検証」（６３）の内容を示す。これに進むとＣＰＵ１は、選択ゲート１９にマルチプレクサ１８ａの出力の選択を指定し、マルチプレクサ１８ａには奇数番画素ラインメモリからのデータ読み出しを指定して、該ラインメモリからの画像データのシリアル出力を行い、この１ライン出力の画像データをチェツクして、ピーク値画像データＲｏｍを検出する（９２）。これ以降の処理は、図１０に示す「カラーＲｏゲインの調整」（１８）のステップ３８〜４２の処理と同様であって、ピーク値Ｒｏｍが設定範囲（目標値２００±７以内）であれば、Ｒｏの第２増幅ゲインが適正であるとしてレジスタｒｂＲｏに設定完了を表わす「１」を書込むが（９３，９４）、設定範囲を外れていると、設定範囲とするためのゲイン指示データ（の下位１０ビットＬｓＧ）を算出して、現在増幅回路１６ａに設定しているＭｓＧ（ゲイン指示データの最上位ビット）と算出したＬｓＧ（ゲイン指示データの下位１０ビット）の組み合わせ（１１ビットのゲイン指示データ）［ＭｓＧ，ＬｓＧ］を、モノクロゲインテーブルに、Ｒｏ（増幅回路１６ａ）宛てに更新書込する（９５〜９８）。なお、ピーク値Ｒｏｍが画像データの最高値（２５５）を超えるときには、すなわちレンジオーバしたものであるときには、ＬｓＧを０を表わすものとする（９５，９６）。
【００９６】
ピーク値Ｒｏｍが画像データの最高値（２５５）以下であるときには、ピーク値Ｒｏｍを得たときのＬｓＧを用いて、
ＬｓＧ／４＋３×目標値（２００）×（２５６＋ＬｓＧ）／４／Ｒｏｍ−１９２
を算出して、これを今回の算出値（新たなＬｓＧ：次回にラッチ２５にセットするＬｓＧ）とする（９７）。なお、このように算出され、モノクロゲインテーブルに書き込まれたゲイン指示データは、その後実行するステップ６０（図１１）で、増幅回路１１６ａ（のラッチ２５）に設定される。
【００９７】
図１１に示す「モノクロＲｅゲインの検証（６４）〜「モノクロＢｅゲインの検証」（６８）の内容は、上述の「モノクロＲｏゲインの検証」（６３）と同様であり、たとえば「モノクロＲｅゲインの検証」（６４）に関していえば、「モノクロＲｏゲインの検証」（６３）のｒｂＲｏおよびＲｏｍをそれぞれｒｂＲｅおよびＲｅｍと読み替え、しかも選択ゲート１９を用いる画像データの読み出しは、マルチプレクサ１８ａの偶数番画素ラインメモリからの読み出しと読み替えたものになる。
【００９８】
「モノクロＲｏゲインの検証」（６３）〜「モノクロＢｅゲインの検証」（６８）をこの順にそれぞれ１回実行するたびに、ＣＰＵ１はＲｏ〜Ｂｅの全ての第２増幅ゲインの設定が完了したかをチェツクする（６９）。全レジスタｒｂＲｏ〜ｒｂＢｅのデータが「１」であればＲｏ〜Ｂｅの全ての第２増幅ゲインの設定が完了している。そうであると、調整を完了した増幅ゲインがモノクロゲインテーブルに書き込まれていることになる（図１３の９８−図１１の６０−図１３の９３，９４）。全レジスタｒｂＲｏ〜ｒｂＢｅのいずれか１つでも（たとえばＲｏのｒｂＲｏが）、「０」であると、第２増幅ゲインの設定が不適（Ｒｏの第２増幅ゲインの設定が不適）であるので、ゲイン操作回数値Ｔｃｏが４０未満であると、ゲイン操作回数値Ｔｃｏを１インクレメントして（７０−７１）再度モノクロゲインの検証（６３〜６８）を行うが、各検証（６３〜６８）では、レジスタｒｂＲｏ〜ｒｂＢｅのデータが１であると該検証（適正な設定）を終えたとするので（図１３の９１−リターン）、適正な設定を終えていないもの（図１１の６３）だけがステップ９２以下（図１３）のゲイン検証を実行する。
【００９９】
ゲイン操作回数値Ｔｃｏが４０になってもＲｏ〜Ｂｅゲインの検証（６３〜６８）のいずれか１つでも検証による適正な設定が未完（レジスタｒｂＲｏ〜ｒｂＢｅの少なくとも１つが「０」）であると、ＣＰＵ１は、図９のステップ６９，７０を経て、システムコントローラ３１ａを介して操作ボード５でエラー報知をして（７２）、検証による適正な設定が未完のゲインは標準ゲイン（デフォルトゲイン）に書換える。すなわちモノクロゲインテーブルの、ゲイン検証による適正な設定が未完の増幅回路宛ての第２増幅ゲインを、ＲＯＭ２に格納している標準ゲインに更新する（７３）。
【０１００】
図１４に、原稿画像読み取り指示があったときのＣＰＵ１の読み取り制御の概要を示す。操作ボード５から又はＰＣから原稿画像読み取り指示が入力されてこれを読みとったシステムコントローラ３１ａがＣＰＵ１に原稿読み取り指示を与えると、ＣＰＵ１は、ランプ１０１を点灯し、読み取り指定がカラーモードかモノクロモードかに応じて、カラーモードであるとカラー読み取り周期（第１の読み取り周期：206.5μsec）をＣＣＤ２０７に設定し（１０３）、カラーゲインテーブルの各増幅回路１６ａ〜１６ｆ宛ての各第１増幅ゲインを各増幅回路１６ａ〜１６ｆに設定（ラッチ）する（１０４）。読み取り指定がモノクロモードであるとモノクロ読み取り周期（第２の読み取り周期：144.5μsec）をＣＣＤ２０７に設定し（１０５）、モノクロゲインテーブルの各増幅回路１６ａ〜１６ｆ宛ての各第２増幅ゲインを各増幅回路１６ａ〜１６ｆに設定（ラッチ）する（１０６）。そして増幅回路１６ａ〜１６ｆのゲイン指示信号がラッチデータが表わすレベルに安定し、しかもランプの光量が安定するのを待つ時間の経過後に、原稿スキャナ（２１０，２３０）による原稿画像読み取りを開始する（１０７，１０８）。原稿画像読み取りが終了するとランプを消灯する（１０９）。
【図面の簡単な説明】
【０１０１】
【図１】本発明の１実施例の、複合画像処理機能があるフルカラー複写機の外観を示す正面図である。
【図２】図１に示すカラープリンタ１００の拡大縦断面図である。
【図３】図１に示すカラースキャナ２１０およびＡＤＦ２３０の拡大縦断面図である。
【図４】図１に示す複写機内の、画像処理システムの構成を示すブロック図である。
【図５】図４に示す画像データ処理器ＩＰＰの画像データ処理機能を示すブロック図である。
【図６】図４に示すスキャナ２１０の読取ユニット２１１の構成ならびにセンサボードユニットＳＢＵの画像読取処理システムの構成を示すブロック図である。
【図７】図６に示す増幅回路１６ａの機能構成の概要を示すブロック図である。
【図８】図６に示すＣＰＵ１の、「白レベル調整」（ＷＬＰ）の概要を示すフローチャートである。
【図９】図８に示す「カラー白レベル調整」（４）の概要を示すフローチャートである。
【図１０】図９に示す「カラーＲｏゲインの調整」（１８）の概要を示すフローチャートである。
【図１１】図８に示す「モノクロ白レベル調整」（１１）の概要を示すフローチャートである。
【図１２】図１１に示す「モノクロＲｏゲインの設定」（５１）の概要を示すフローチャートである。
【図１３】図１１に示す「モノクロＲｏゲインの検証」（６３）の概要を示すフローチャートである。
【図１４】図６に示すＣＰＵ１の、「原稿画像読み取り」（ＤＲＰ）の概要を示すフローチャートである。
【符号の説明】
【０１０２】
１０１：感光体      １０２：帯電装置
１０３：現像装置    １０４：クリーニング装置
１０５：除電装置    １０６：露光装置
１０７：第１転写ベルト
１０８〜１１０：ローラ
１１１：第１転写手段
１１２：クリーニング装置
１１３：第２転写ベルト
１１４〜１６：回転ローラ
１１７：第２転写手段
１１８：クリーニング装置
１１９：チャージャ
１２０：用紙（記録媒体）
１２１，１２２：給紙カセット
１２３：定着器      １２４：排紙ガイド
１２５：排紙ローラ
１２６：排紙スタック
１２７：補給トナー収納部
１２８：カートリッジ
１２９：フレーム    １３０：開閉支軸
１３１，１３２：給紙ローラ
１３３：レジストローラ
２２１，２２５：ロータリエンコーダ
２２４：ステッピングモータ
２３１：原稿台ガラス  ２３２：照明ランプ
２３３：第１ミラー  ２３４：第２ミラー
２３５：第３ミラー  ２３６：レンズ
２０７：ＣＣＤ      ２３８：ステッピングモータ
２３９：基準白板    ２４０：ガラス
２４１：原稿トレイ  ２４２：ピックアップローラ
２４３：レジストローラ対
２４４：搬送ドラム  ２４５：押さえローラ
２４６，２４７：排紙ローラ
２４８：排紙トレイ兼用の圧板
２４９：基点センサ  ２５１：スケール
【図１】
2006074204.tif 000003
【図２】
2006074204.tif 000004
【図３】
2006074204.tif 000005
【図４】
2006074204.tif 000006
【図５】
2006074204.tif 000007
【図６】
2006074204.tif 000008
【図７】
2006074204.tif 000009
【図８】
2006074204.tif 000010
【図９】
2006074204.tif 000011
【図１０】
2006074204.tif 000012
【図１１】
2006074204.tif 000013
【図１２】
2006074204.tif 000014
【図１３】
2006074204.tif 000015
【図１４】
2006074204.tif 000016